(57)【要約】【課題】本発明は流動人口が多いコンビニエンスストアー、割引売り場などに設置されたディスプレー装置を通じてコンテンツ伝送ネットワークを利用した最適のトレンドが反映された動映像広告を提供する広告コンテンツ伝送ネットワークシステム及びその運営方法を提案する。【解決手段】本発明は課題を解決するために、動映像広告コンテンツを最初伝送するコンテンツサーバーと；コンテンツサーバーからあらかじめ動映像広告コンテンツを伝送されて売り場内に設置されたディスプレー装置に最適の近接位置で実際にコンテンツを伝送するように複数のキャッシュサーバーが備わったサーバーファームと；最適の近接位置に位置したキャッシュサーバーから動映像広告コンテンツを伝送されてこれを上映する売り場内のディスプレー装置が含まれる。【選択図】図１
2005148698.tif 000002
【特許請求の範囲】
【請求項１】
複数の売り場内に設置されたディスプレー装置を通じて動映像広告コンテンツを上映させる広告コンテンツ伝送ネットワークシステムにおいて、
前記動映像広告コンテンツを最初伝送するコンテンツサーバーと、
前記コンテンツサーバーからあらかじめ動映像広告コンテンツを伝送されて前記売り場内に設置されたディスプレー装置に最適の近接位置で実際にコンテンツを伝送するように複数のキャッシュサーバーが備わったサーバーファームと、
前記最適の近接位置に位置したキャッシュサーバーから動映像広告コンテンツを伝送されてこれを上映する売り場内のディスプレー装置が含まれることを特徴とする広告コンテンツ伝送ネットワークシステム。
【請求項２】
前記売り場にはコンビニエンスストアー、大型割引売り場、ガソリンスタンド、化粧品代理店、携帯電話代理店、電子製品代理店、ＡＳセンター、ファッション代理店、空港、バースターミナル、フランチャイズ売り場が含まれることを特徴とする請求項１に記載の広告コンテンツ伝送ネットワークシステム。
【請求項３】
前記ディスプレー装置は、売り場の計算台周辺またはショーウィンドーに設置されたり、ガソリンスタンドの場合車の内部から最も目によくつく位置に設置されることを特徴とする請求項１に記載の広告コンテンツ伝送ネットワークシステム。
【請求項４】
前記動映像広告コンテンツは、一定の周期で変わって上映することを特徴とする請求項１に記載の広告コンテンツ伝送ネットワークシステム。
【請求項５】
前記動映像広告コンテンツは、前記ディスプレー装置に最初伝送された後、ディスプレー装置内に貯蔵されて反復的に再生／上映することを特徴とする請求項１に記載の広告コンテンツ伝送ネットワークシステム。
【請求項６】
複数の売り場内に設置されたディスプレー装置を通じて動映像広告コンテンツを上映させる広告コンテンツ伝送ネットワークシステム運営方法において、
コンテンツサーバーを通じて前記動映像広告コンテンツを最初伝送する段階と、
前記コンテンツサーバーからあらかじめ動映像広告コンテンツを伝送された後、前記売り場内に設置されたディスプレー装置に最も近接した位置のキャッシュサーバーを通じて前記動映像広告コンテンツを伝送する段階と、
前記キャッシュサーバーから動映像広告コンテンツを伝送されてこれを売り場内のディスプレー装置を通じて上映する段階が含まれることを特徴とする広告コンテンツ伝送ネットワークシステム運営方法。
【請求項７】
前記動映像広告コンテンツが一定の周期で変わって上映する段階がさらに含まれることを特徴とする請求項６に記載の広告コンテンツ伝送ネットワークシステム運営方法。
【請求項８】
前記動映像広告コンテンツが前記ディスプレー装置に最初伝送された後、ディスプレー装置内に貯蔵されて反復的に再生／上映する段階がさらに含まれることを特徴とする請求項６に記載の広告コンテンツ伝送ネットワークシステム運営方法。
【発明の詳細な説明】
【技術分野】
【０００１】
本発明は、広告コンテンツ伝送ネットワークシステム及びその運営方法に係り、特に流動人口が多いコンビニエンスストアー、割引売り場などに設置されたディスプレー装置を通じて最適のトレンドを反映した動映像広告を上映できるようにする広告コンテンツ伝送ネットワークシステム及びその運営方法に関する。
【背景技術】
【０００２】
現代社会は生産と消費を中心に回っている。すなわち、日ごとに多くのものが新しく作られて、またそのものが人々によって消費される。
【０００３】
今日生産と消費がこのように重要になることによって、当然数多い商品がどんな用途に、どのように用いるかに対する情報が必要になり、そのすき間で生産と消費を連結する役割を有するものがまさに直接広告である。
【０００４】
すなわち、前記広告は生産された特定商品を消費者に広く知らせる一体の行為を意味することであって、これは多様な媒体を通じて消費者に提示される。
【０００５】
前記特定商品を生産する生産者の立場で商品に対する広告がどれくらい効果的であったのか可否はその商品の売上げ利益と直結することであるので、広告を消費者に效果的に提供することは非常に重要である。
【０００６】
また、効果的な商品の広告のためには広告を提供する場所及び提供する方法が最も重要な要素になっているといえる。
【０００７】
このような観点でコンビニエンスストアー及び大型割引売り場などは多様な物品を購買するための多くの消費者が利用する場所であって、特定物品に対する広告を提供するのに最も適合な場所と言える。
【０００８】
一例としてコンビニエンスストアー及び割引売り場の場合消費者が計算台前で自身が購入した商品が計算される５〜１０余秒間短いけれど退屈さを感じ、これは計算するお客さんが滞る場合はるかに加重されるようになる。
【０００９】
また、売り場内で電子レンジに食べ物を温める３０秒〜数分の時間、簡単に食べ物を取食する数分〜数十分の時間も退屈さを感じて大部分の消費者は退屈な時間を紛らすために売り場内をきょろきょろ見回したり広告物に視線を与えるようになる。
【００１０】
従来の場合前記場所に提供される広告は、ＰＯＰ（Ｐｏｉｎｔｏｆｐｕｒｃｈａｓｅ）広告として売り場の入口または売り場内で懸垂幕や掛け軸、天井モビール、スタンド、ウィンドー下段帯、フラッグ、ステッカーなどの色々な形態を利用して消費者に提供している。
【００１１】
しかし一般的に印刷物形態で存在して製品情報を知らせる水準にとどまっていて広告訴求力が高くないことが現実情である。
【００１２】
また、特定商品に対する動映像広告を提供する場合もあるが、これは最初広告主が広告物を製作して、これをビデオテープ、ＣＤ−ＲＯＭなどに貯蔵してそれぞれの売り場にオフラインで伝達してこれを各売り場に設置されたプレーヤーに入力してモニターを通じて上映する方法を利用している。
【００１３】
しかし、このような場合広告物が貯蔵されるビデオテープなどの製作に時間と費用が要して、これを配送する時も時間と費用が要する短所があり、また迅速な広告上映ができなくて最適のトレンドを反映するのは難しいという短所がある。
【発明の開示】
【発明が解決しようとする課題】
【００１４】
本発明は流動人口が多いコンビニエンスストアー、割引売り場などに設置されたディスプレー装置を通じてコンテンツ伝送ネットワークを利用した最適のトレンドが反映された動映像広告を提供することによって、商品広告の効果を極大化する広告コンテンツ伝送ネットワークシステム及びその運営方法を提供することにその目的がある。
【課題を解決するための手段】
【００１５】
前記目的を達成するために本発明による広告コンテンツ伝送ネットワークシステムは、複数の売り場内に設置されたディスプレー装置を通じて動映像広告コンテンツを上映させる広告コンテンツ伝送ネットワークシステムにおいて、
【００１６】
前記動映像広告コンテンツを最初伝送するコンテンツサーバーと；前記コンテンツサーバーからあらかじめ動映像広告コンテンツを伝送されて前記売り場内に設置されたディスプレー装置に最適の近接位置で実際にコンテンツを伝送するように複数のキャッシュサーバーが備わったサーバーファームと；前記最適の近接位置に位置したキャッシュサーバーから動映像広告コンテンツを伝送されてこれを上映する売り場内のディスプレー装置が含まれることを特徴とする。
【００１７】
ここで、前記売り場にはコンビニエンスストアー、大型割引売り場、ガソリンスタンド、化粧品代理店、電子製品代理店、ＡＳセンター、ファッション代理店、空港、バースターミナル、フランチャイズ売り場が含まれ、前記ディスプレー装置は売り場の計算台周辺またはショーウィンドーに設置されたり、ガソリンスタンドの場合車の内部から最も目によくつく位置に設置されることを特徴とする。
【００１８】
また、前記動映像広告コンテンツは一定の周期で変わって上映し、動映像広告コンテンツが前記ディスプレー装置に最初伝送された後、変更される前までディスプレー装置内に貯蔵されて反復的に再生／上映することができる。
【００１９】
また、本発明による広告コンテンツ伝送ネットワークシステム運営方法は、複数の売り場内に設置されたディスプレー装置を通じて動映像広告コンテンツを上映させる広告コンテンツ伝送ネットワークシステム運営方法において、
【００２０】
コンテンツサーバーを通じて前記動映像広告コンテンツを最初伝送する段階と；前記コンテンツサーバーからあらかじめ動映像広告コンテンツを伝送された後、前記売り場内に設置されたディスプレー装置に最も近接した位置のキャッシュサーバーを通じて前記動映像広告コンテンツを伝送する段階と；前記キャッシュサーバーから動映像広告コンテンツを伝送されてこれを売り場内のディスプレー装置を通じて上映する段階が含まれることを特徴とする。
【００２１】
また、前記動映像広告コンテンツが一定の周期で変わって上映する段階がさらに含まれたり、前記動映像広告コンテンツが前記ディスプレー装置に最初伝送された後、変更される前までディスプレー装置内に貯蔵されて反復的に再生／上映する段階がさらに含まれることができる。
【発明の効果】
【００２２】
本発明による広告コンテンツ伝送ネットワークシステム及びその運営方法によれば、動映像広告をコンテンツ伝送ネットワーク（ＣＤＮ）を通じて伝送して複数の広告最適地（例：コンビニエンスストアー等）で上映するので、伝送速度が速くて配送料が節減され、正確で最適のトレンドを適用した広告をすべての地域で同時に上映できるという長所がある。
【００２３】
また、高い品質（Ｑｕａｌｉｔｙ）の動映像広告物を上映するようになって、各売り場訪問人口の年令別、選好度別、地域別特色に合う広告を差別化して提供することによって効果的な広告効果を得ることができ、消費者の目によくつく所で広告を上映するようになって売り場購買力の上昇効果が発生する長所がある。
【００２４】
また、コンビニエンスストアー及び値引き売り場などにおける退屈な時間すなわち、計算台で消費する時間、食べ物を電子レンジに温める時間、食べ物を取る時間などを効果的に活用できるという長所がある。
【発明を実施するための最良の形態】
【００２５】
先に説明したように効果的な商品の広告のためには広告を提供する場所及び提供する方法が最も重要な要素になり、この時前記広告を提供する場所として最も適切な所は多くの商品が販売されて流動人口が多いコンビニエンスストアー及び割引売り場、ファッション売り場などになることができる。
【００２６】
また、前記広告を提供する方法として最も効果的であるものは最近のトレンドに適していて消費者の消費欲求を引出すようにする動映像コンテンツ広告ということができる。
【００２７】
本発明は動映像広告コンテンツを前記コンビニエンスストアーなどの売り場に提供することにおいて、既存のビデオテープやＣＤ−ＲＯＭを利用してこれを消費者に上映する方法またはインターネットを通じて直接ダウンロードして上映する方法を用いないでコンテンツ伝送ネットワーク（Ｃｏｎｔｅｎｔｓ  Ｄｅｌｉｖｅｒｙ  Ｎｅｔｗｏｒｋ：ＣＤＮ）技術を利用して動映像広告を消費者に提供する。
【００２８】
前記ＣＤＮ技術とはコンテンツプロバイダ（Ｃｏｎｔｅｎｔｓ  Ｐｒｏｖｉｄｅｒ：以下ＣＰ）の中央サーバーからクライアントまでコンテンツを遠距離に伝送するに伴う通信上の負荷及びコンテンツ伝送速度低下、そしてコンテンツ品質低下現象を除去するために、コンテンツ消費者から近い周辺ネットワークに戦略的に複数のコンテンツサーバー（ｃｏｎｔｅｎｔｓ  ｓｅｒｖｅｒ）またはキャッシュサーバー（ｃａｃｈｅ  ｓｅｒｖｅｒ）を設置して、消費者のコンテンツ要求（ｒｅｑｕｅｓｔ）を前記コンテンツサーバーで応答及び処理するコンテンツ配布技術を意味する。
【００２９】
一般的にインターネットは、全世界２００余個国家の通信網と相互に連結している世界最大のネットワークであって、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）通信規約で接続しており、これは２億人以上のユーザーが使用中であって、約３、０００万台以上のホストが連結されている非常に広範囲であって汎用的なネットワークであって現在も持続的な拡張趨勢にある。
【００３０】
しかし、このようなインターネット使用の爆発的増加は、逆説的に通信の品質を顕著に落とす結果をもたらし、これを克服するために莫大な費用がかかるネットワークインフラ増設に比べて相対的にさらに低い費用でさらに高品質のサービスを消費者に提供することができる前記ＣＤＮ技術が注目を浴びている。
【００３１】
すなわち、前記ＣＤＮは、周辺ネットワークを通じてコンテンツを伝送することによって基幹ネットワークの負荷を減らすことができ、消費者にさらによい良質のコンテンツサービスと共に速くて安定したネットワーク接続インフラを提供するようになる。
【００３２】
これに本発明はこのようなＣＤＮ技術をオフライン上の大型売り場に適用することによって、広告効果を極大化するのをその内容にする。
以下、添付した図面を参照しながら本発明による実施例を詳細に説明する。
図１は、本発明による広告コンテンツ伝送ネットワークシステムの構成を示す図面である。
【００３３】
図１を参照すれば、これは動映像広告コンテンツを最初伝送するコンテンツサーバー１００と；前記コンテンツサーバー１００からあらかじめ動映像広告コンテンツを伝送されて売り場内に設置されたディスプレー装置１２０に最適の近接位置で実際にコンテンツを伝送するように複数のキャッシュサーバー１１２が備わったサーバーファーム１１０と；前記最適の近接位置に位置したキャッシュサーバー１１２から動映像広告コンテンツを伝送されてこれを上映する売り場内のディスプレー装置１２０が含まれて構成され、このようなシステムを通じて提供される広告コンテンツの伝送過程は次の通りである。
【００３４】
先に売り場内に設置されたディスプレー装置１２０は、持続的に前記コンテンツサーバー１００に広告コンテンツの提供を要求する。
【００３５】
これに前記コンテンツサーバー１００は、前記ディスプレー装置１２０に最適のサービスを提供することができるサーバーファーム１１０内のキャッシュサーバー１１２を選択して、前記キャッシュサーバー１１２のインターネットプロトコル住所（Ｉｎｔｅｒｎｅｔ  Ｐｒｏｔｏｃｏｌ  ａｄｄｒｅｓｓ：以下ＩＰ）にディスプレー装置１２０の要求を再設定（Ｒｅｑｕｅｓｔ  Ｒｅｄｉｒｅｃｔｉｏｎ）する。
【００３６】
それによって前記ディスプレー装置１２０は、透明（ｔｒａｎｓｐａｒｅｎｔ）に再設定されたＩＰ住所で要求をするようになって、結果的に前記要求された広告コンテンツは前記ディスプレー装置１２０に最も隣接したキャッシュサーバー１１２すなわち、前記最適のサービスを提供することができるサーバーファーム１１０内のキャッシュサーバー１１２から伝送される。
【００３７】
ここで、前記ディスプレー装置１２０は、持続的に広告コンテンツの提供を要求するために、結果的に前記動映像広告コンテンツは一定の周期で変わって上映し、前記動映像広告コンテンツがディスプレー装置１２０に最初伝送された後、変更される前までディスプレー装置１２０内に貯蔵されて反復的に再生／上映することができる。
【００３８】
この時、ここで、前記売り場にはコンビニエンスストアー、大型割引売り場、ガソリンスタンド、化粧品代理店、電子製品代理店、ＡＳセンター、ファッション代理店、空港、バースターミナル、フランチャイズ売り場が含まれ、前記ディスプレー装置１２０は売り場の計算台周辺またはショーウィンドーに設置されたり、ガソリンスタンドの場合車の内部から最も目によくつく位置に設置されることを特徴とする。
【００３９】
図２は、本発明による広告コンテンツ伝送ネットワークシステムの運営方法の一実施例を概略的に説明するためのブロック図である。
【００４０】
ただし、これは一つの実施例に過ぎないことであって、本発明による広告コンテンツ伝送ネットワークシステムの運営方法が必ずこれに限定されるのではない。
【００４１】
図２を参照すれば、各売り場内のディスプレー装置が位置した地域ネットワーク認識ＤＮＳ（Ｄｏｍａｉｎ  Ｎａｍｅ  Ｓｙｓｔｅｍ）のＩＰ住所を基盤に最適のサーバーファームであるコンテンツキャッシュクラスター５３を選定するコンテンツ分散伝送方式を利用する。
【００４２】
すなわち、前記ディスプレー装置は、ＩＳＰ５０の近距離接続地すなわち、ＩＳＰＰＯＰ（Ｐｏｉｎｔ  ｏｆ  Ｐｒｅｓｅｎｃｅ）５１を通じて接続して、特定コンテンツサーバー７０に対する統一資源ロケータ、すなわちＵＲＬ（Ｕｎｉｆｏｒｍ  Ｒｅｓｏｕｒｃｅ  Ｌｏｃａｔｏｒ）を要求する。（ａ）
【００４３】
この場合、ＵＲＬ内のホスト名前に対するＩＰ住所質疑は、ディスプレー装置４０のＤＮＳサーバーとして設定されたＩＳＰＤＮＳ５２に伝えられる。（ｂ）
【００４４】
そして、ＩＳＰＤＮＳ５２は、動映像広告コンテンツを提供する特定コンテンツサーバー７０が属したインターネットドメインに対する責任ＤＮＳ（ａｕｔｈｏｒｉｔａｔｉｖｅ  ＤＮＳ）である地域ネットワーク認識ＤＮＳ６０に前記特定コンテンツサーバー７０のホスト名前に対するＩＰ住所を質疑する。（ｃ）
【００４５】
この時、地域ネットワーク認識ＤＮＳ６０は、ＩＳＰＤＮＳのＩＰ住所をふまえてＩＳＰＤＮＳ５２にＩＳＰ５０に設置されたキャッシュサーバークラスター５３に接続できるＩＰ住所を応答する。（ｄ）
【００４６】
したがって、ＩＳＰＤＮＳ５２は、ＩＳＰＰＯＰ５１を通して（ｅ）、地域ネットワーク認識ＤＮＳ６０から応答を受けたように、特定コンテンツサーバー７０に対するＩＰ住所の代りに、キャッシュサーバークラスター５３のＩＰ住所をディスプレー装置４０に伝達する。（ｆ）
【００４７】
この場合ディスプレー装置４０は、キャッシュサーバークラスター５３を前記特定コンテンツサーバー７０で認識してコンテンツを要求して伝送うける（ｇ）、（ｈ）。
【００４８】
結果的に前記各売り場に設置されたディスプレー装置は、前記広告コンテンツサーバーから提供する動映像広告コンテンツをその容量にこだわらないで速い時間内に伝送されてこれを消費者に上映できることであり、これを通じて正確で最適のトレンドを適用した広告をすべての地域で同時に上映できるようになるものである。
【００４９】
前記説明した本発明の実施例は本発明による広告コンテンツ伝送ネットワークシステム及びその運営方法を説明するための例示に過ぎなく、該分野で通常の知識を有した者ならばここから多様で均等な例が可能であるということが理解できるはずである。したがって、本発明の真の権利範囲は特許請求範囲により決まるべきである。
【産業上の利用可能性】
【００５０】
本発明は流動人口が多いコンビニエンスストアー、割引売り場などに設置されたディスプレー装置を通じてコンテンツ伝送ネットワークを利用した最適のトレンドが反映された動映像広告を提供することによって、商品広告の効果が極大化される産業上利用可能性がある。
【図面の簡単な説明】
【００５１】
【図１】本発明による広告コンテンツ伝送ネットワークシステムの構成を示す図である。
【図２】本発明による広告コンテンツ伝送ネットワークシステムの運営方法の一実施例を概略的に説明するためのブロック図である。
【符号の説明】
【００５２】
１００：コンテンツサーバー
１１０：サーバーファーム
１１２：キャッシュサーバー
１２０：ディスプレー装置
【図１】
2005148698.tif 000003
【図２】
2005148698.tif 000004